(57)【要約】【課題】安価に構成することができる遊技機を提供する。【解決手段】ランプを制御する副制御装置が設けられている副制御基板４０の出力端子１〜１４の数、ランプ中継基板６０の入力端子Ｃ１〜Ｃ１４は、ランプの最大使用数に対応する数に設定されている。また、ランプ中継基板６０の出力端子Ｄ１〜Ｄ１１の数は、ランプ基板１６１及び１６２の入力端子Ｑ１〜Ｑ５及びＲ１〜Ｒ６の総数に等しい数に設定されている。ランプ中継基板６０では、出力端子Ｄ１〜Ｄ１１の数に対応する数の入力端子Ｃ１、Ｃ３、Ｃ５、Ｃ７〜Ｃ１４が出力線ｓ１、ｓ３、ｓ５、ｓ７〜ｓ１４によって対応する出力端子Ｄ１〜Ｄ１１に接続され、残りの入力端子Ｃ２、Ｃ４、Ｃ６が出力線ｓ２、ｓ４、ｓ６によって他の入力端子Ｃ１、Ｃ３、Ｃ５（出力線ｓ１、ｓ３、ｓ５）に接続されている。【選択図】        図３
2004215727.tif 000002
【特許請求の範囲】
【請求項１】
遊技機の遊技動作を制御する制御装置が設けられ、制御装置からの信号を出力する出力端子を有する制御基板と、制御基板の出力端子と接続される入力端子及び入力端子と接続される出力線を有する回路基板とを備え、
回路基板の入力端子の数は制御基板の出力端子の数と同数であり、出力線の数は回路基板の入力端子の数と異なっている、
遊技機。
【発明の詳細な説明】
【０００１】
【発明の属する技術分野】
本発明は、遊技機に関する。
【０００２】
【従来の技術】
遊技機、例えば、パチンコ機には、主制御装置、制御装置、被制御機器等が設けられている。制御装置としては、ランプ制御装置、音制御装置、表示制御装置、賞球制御装置等が設けられ、被制御機器としては、ＬＥＤ等のランプ、スピーカ、液晶表示装置等の表示装置、賞球装置等が設けられる。
主制御装置は、始動信号や入賞信号等の入力信号と記憶装置に記憶されている制御プログラム等に基づいて、各制御装置にコマンド信号を出力する。各制御装置は、主制御装置から出力されたコマンド信号に基づいて、各被制御機器を制御する信号を出力する。
主制御装置や制御装置は、基板として構成されることが多い。例えば、主制御装置は主制御基板、ランプ制御装置はランプ制御基板、音制御装置は音制御基板、表示制御装置は表示制御基板、賞球制御装置は賞球制御基板等として構成される。また、被制御機器側にも被制御機器基板が設けられる場合がある。例えば、ＬＥＤ等のランプが設けられたランプ基板あるいはランプが接続可能なランプ基板が設けられる。
主制御基板には、入力信号が入力される入力端子と、各制御装置へのコマンド信号を出力する出力端子が設けられている。各制御基板には、主制御基板の出力端子からのコマンド信号が入力される入力端子、被制御機器を制御する信号を出力する出力端子が設けられている。被制御機器基板には、制御装置の出力端子から出力される信号が入力される入力端子が設けられている。
さらに、各制御基板の出力端子と被制御機器基板の入力端子との接続を中継する中継基板が設けられる場合がある。この中継基板には、制御基板の出力端子にそれぞれ接続される入力端子と、被制御機器基板の入力端子にそれぞれ接続される出力端子が設けられている。中継基板の各入力端子は、それぞれ配線パターン等の出力線を介して対応する出力端子に接続されている。なお、各制御基板、中継基板、被制御機器基板には、電源用の出力端子や入力端子が設けられる場合もある。
【０００３】
ところで、パチンコ機等の遊技機では、機種変更等によって被制御機器の数や構造の変更等（例えば、ランプの数やスピーカの構造の変更）が行われることが多い。
一方、基板に空き端子が存在すると、空き端子を介して信号を不正に入力することができる。このため、パチンコ機等の遊技機では、空き端子が不正信号の入力端子として使用されるのを防止するために、基板に空き端子を設けることが規制されている。
従来の遊技機では、被制御機器の数や構造の変更等によって基板に空き端子が発生するのを防止するために、互いに接続される制御基板の出力端子の数と被制御機器基板の入力端子の数が同じになるように構成している。（特許文献１参照）
【０００４】
【特許文献１】
特開２０００−２４５９０２号公報
【０００５】
【発明が解決しようとする課題】
従来の遊技機では、互いに接続される制御基板の出力端子の数と被制御機器基板の入力端子の数が同じになるように構成しているため、被制御機器の数や構造の変更等を行う毎に両基板を交換している。例えば、機種変更等によってランプの数が変更されると、ランプ基板を、変更後のランプの数に対応する数の入力端子を有するランプ基板に交換するとともに、ランプ中継基板を、ランプ基板の入力端子の数に対応する数の出力端子及び入力端子を有するランプ中継基板に、ランプ制御基板を、ランプ基板の入力端子の数に対応する数の出力端子を有するランプ制御基板に交換している。
【０００６】
これを、図５及び図６により説明する。
図５は、ランプ基板として、ＬＥＤ１〜ＬＥＤ６を制御する信号が入力される入力端子Ｏ１〜Ｏ６とＬＥＤ１〜ＬＥＤ６の電源が入力される入力端子Ｏ７が設けられているランプ基板１３１、ＬＥＤ７〜ＬＥＤ１２を制御する信号が入力される入力端子Ｐ１〜Ｐ６とＬＥＤ７〜ＬＥＤ１２の電源が入力される入力端子Ｐ７が設けられているランプ基板１３２を用いる場合のランプ制御基板１１０及びランプ中継基板１２０の構成を示している。
ランプ中継基板１２０には、それぞれランプ基板１３１及び１３２の入力端子Ｏ１〜Ｏ７及びＰ１〜Ｐ７に接続される出力端子Ｂ１〜Ｂ１４と、それぞれ出力端子Ｂ１〜Ｂ１４に接続される入力端子Ａ１〜Ａ１４が設けられている。
ランプ制御基板１１０には、それぞれランプ中継基板１２０の入力端子Ａ１〜Ａ１４に接続される出力端子１〜１４が設けられている。ランプ制御基板１１０の出力端子１〜１２からは、それぞれＬＥＤ１〜ＬＥＤ１２を制御する信号が出力される。また、ランプ制御基板１１０の出力端子１３及び１４からは、ランプ基板１３１及び１３２の電源（例えば、＋３４Ｖの直流電源）が出力される。
ランプ制御基板１１０の出力端子１〜１４とランプ中継基板１２０の入力端子Ａ１〜Ａ１４は接続線ｘ１〜ｘ１４によって接続され、ランプ中継基板１２０の出力端子Ｂ１〜Ｂ７とランプ基板１３１の入力端子Ｏ１〜Ｏ７は接続線ｙ１〜ｙ７によって接続され、ランプ中継基板１２０の出力端子Ｂ８〜Ｂ１４とランプ基板１３２の入力端子Ｐ１〜Ｐ７は接続線ｚ１〜ｚ７によって接続されている。また、ランプ中継基板１２０の入力端子Ａ１〜Ａ１４と出力端子Ｂ１〜Ｂ１４は、それぞれ配線パターン等の出力線ｓ１〜ｓ１４によって接続されている。
【０００７】
機種変更等によってランプの数が変更され、ランプ基板として、ＬＥＤ１〜ＬＥＤ４を制御する信号が入力される入力端子Ｑ１〜Ｑ４とＬＥＤ１〜ＬＥＤ４の電源が入力される入力端子Ｑ５が設けられているランプ基板１６１、ＬＥＤ５〜ＬＥＤ９を制御する信号が入力される入力端子Ｒ１〜Ｒ５とＬＥＤ５〜ＬＥＤ９の電源が入力される入力端子Ｒ６が設けられているランプ基板１６２を用いる場合には、図６に示すようなランプ制御基板１４０及びランプ中継基板１５０が用いられる。
この場合、ランプ基板１６１の入力端子Ｑ１〜Ｑ５とランプ基板１６２の入力端子Ｒ１〜Ｒ６の総数と等しい数の出力端子Ｈ１〜Ｈ１１及び入力端子Ｇ１〜Ｇ１１が設けられているランプ中継基板１５０が用いられる。
さらに、ランプ中継基板１５０の入力端子Ｇ１〜Ｇ１１の数（ランプ基板１６１の入力端子Ｑ１〜Ｑ５とランプ基板１６２の入力端子Ｒ１〜Ｒ６の総数）に等しい数の出力端子１〜１１が設けられているランプ制御基板１４０が用いられる。ランプ制御基板１４０の出力端子１〜９からは、それぞれＬＥＤ１〜ＬＥＤ９を制御する信号が出力される。また、ランプ制御基板１４０の出力端子１０及び１１からは、ランプ基板１６１及び１６２の電源が出力される。
ランプ制御基板１４０の出力端子１〜１１とランプ中継基板１５０の入力端子Ｇ１〜Ｇ１１は接続線ｘ１〜ｘ１１によって接続され、ランプ中継基板１５０の出力端子Ｈ１〜Ｈ５とランプ基板１６１の入力端子Ｑ１〜Ｑ５は接続線ｙ１〜ｙ５によって接続され、ランプ中継基板１５０の出力端子Ｈ６〜Ｈ１１とランプ基板１６２の入力端子Ｒ１〜Ｒ６は接続線ｚ１〜ｚ６によって接続されている。また、ランプ中継基板１５０の入力端子Ｇ１〜Ｇ１１と出力端子Ｈ１〜Ｈ１１は、それぞれ配線パターン等の出力線ｓ１〜ｓ１１によって接続されている。
【０００８】
以上のように、従来の遊技機では、基板に空き端子が発生するのを防止するために、ランプ制御基板等の制御基板やランプ中継基板等の中継基板として、出力端子や入力端子の数がランプ基板等の被制御機器基板の入力端子の数と等しくなるように設定されている制御基板や中継基板を用いている。このため、例えば、ランプの使用数の変更によってランプ基板の入力端子の数が変更される毎に、ランプ制御基板及びランプ中継基板を交換する必要があり、遊技機のコストが高い。
そこで、本発明は、安価に基板に空き端子が発生するのを防止することができる遊技機を提供することを目的とする。
【０００９】
【課題を解決するための手段】
前記課題を解決するための本発明の第１発明は、請求項１に記載されたとおりの遊技機である。
請求項１に記載の遊技機では、制御基板の出力端子に接続される入力端子及び入力端子に接続される出力線を有する回路基板を備え、回路基板の入力端子の数を制御基板の出力端子の数と同じ数とし、出力線の数を回路基板の入力端子の数と異なる数としている。これにより、例えば、回路基板に設けられる被制御機器あるいは回路基板に接続される被制御機器の数や構造等が変更されて回路基板の出力線の数を変更する場合に、制御基板を交換する必要がない。この場合、制御基板の出力端子それぞれを回路基板の対応する入力端子に接続線等によって接続することによって、制御基板の出力端子等に空き端子が発生するのを防止することができる。本発明では、接続線等の数が従来例より増加するが、高価な制御基板を交換する必要がないため、従来例より安価に構成することができる。
なお、「回路基板の出力線の数」は、回路基板の入力端子に接続されている出力線を接続あるいは分岐させた後の出力線、すなわち、出力段（最終段）の出力線の数を意味している。
【００１０】
【発明の実施の形態】
以下に、本発明の実施の形態を図面を参照して説明する。
本発明をパチンコ機として構成した一実施の形態の概略構成図を図１に示す。図１に示すパチンコ機は、主制御装置１０、制御装置、被制御機器等が設けられている。
制御装置としては、副制御装置２０、表示制御装置３０等が設けられている。被制御機器としては、スピーカ２１、ランプ２２、液晶表示装置等の表示装置３１等が設けられている。
主制御装置１０や各制御装置等によって、パチンコ機の動作が制御される。
【００１１】
主制御装置１０は、主制御回路や記憶回路等を有しており、通常、主制御基板として構成される。主制御装置１０には、パチンコ球が始動口を通過または始動口に入賞したことを検出する始動球検出器から出力される始動信号、パチンコ球が入賞口に入賞したことを検出する入賞球検出器から出力される入賞信号等が入力される。
主制御装置１０の記憶回路には、当たり判定用乱数を発生させる当たり判定用乱数発生プログラムや制御プログラム等が記憶されている。
主制御装置１０は、始動信号、入賞信号、記憶回路に記憶されている制御プログラム等に基づいて、副制御装置２０へのコマンド信号あるいは表示制御装置３０へのコマンド信号を副制御装置２０に出力する。
なお、図示はしていないが、副制御装置２０や表示制御装置３０以外に、パチンコ球が入賞口に入賞した時に入賞口に対応する賞球を払い出す賞球装置を制御する賞球制御装置や、特別入賞口の開閉部材を開閉駆動する駆動装置等が制御装置として設けられている。主制御装置１０は、これらの制御装置へのコマンド信号（制御信号）も出力する。
【００１２】
副制御装置２０は、副制御回路や記憶回路等を有しており、通常、副制御基板として構成される。また、副制御装置２０は、遊技の演出を行うスピーカ（音発生手段）２１やＬＥＤ等のランプ（発光手段）２２が接続されている。
副制御装置２０の記憶回路には、例えば、表示装置３１に表示される変動パターンに応じてスピーカ２１やランプ２２を制御するための制御信号が変動パターン毎に記憶されている。
副制御装置２０は、主制御装置１０から出力されるコマンド信号（例えば、始動信号入力時の抽選結果を表示装置３１に表示するための変動パターンを示すコマンド信号）や記憶回路に記憶されている制御信号等に基づいて、スピーカ２１やランプ２２を制御する制御信号を出力する。
また、副制御装置２０は、主制御装置１０から出力されたコマンド信号が表示制御装置３０へのコマンド信号である場合には、そのコマンド信号を表示制御装置３０に出力する。
なお、副制御装置２０は、スピーカ２１を制御する音制御装置やランプ２２を制御するランプ制御装置により構成することもできる。
【００１３】
表示制御装置３０は、表示制御回路や記憶回路を有しており、通常、表示制御基板として構成される。表示制御装置３０には、表示装置３１が接続されている。表示装置３１は、抽選結果等を表示する図柄表示部を有している。図柄表示部は、例えば、左図柄表示部、中図柄表示部、右図柄表示部により構成される。各図柄表示部には、主制御装置１０から出力されるコマンド信号で指示される変動パターンや停止図柄等が表示される。
【００１４】
また、本実施の形態では、副制御基板とランプは、ランプ中継基板とランプ基板を介して接続されている。
ここで、前述したように、従来のパチンコ機では、基板に空き端子が発生するのを防止するために、ランプ制御基板等の制御基板やランプ中継基板等の中継基板の出力端子や入力端子の数を、ランプ基板等の被制御機器基板の入力端子の数と等しく設定している。すなわち、従来のパチンコ機では、入力端子の数と出力端子の数が等しいランプ中継基板を用いている。
これに対し、本実施の形態では、入力端子の数と出力端子の数が異なるランプ中継基板を用いている。これにより、例えば、ランプの使用数が変更されてランプ基板の入力端子の数が変更された場合、ランプ中継基板を交換し、ランプを制御する信号を出力する制御基板（例えば、副制御基板）の各出力端子を接続線等によって交換したランプ中継基板の対応する入力端子に接続することにより、制御基板の出力端子等に空き端子が発生するのを防止することができる。したがって、制御基板を交換する必要がないため、安価に構成することができる。
【００１５】
本実施の形態で用いるランプ中継基板を、図２及び図３により説明する。
図２には、図５で説明した、ＬＥＤ１〜ＬＥＤ６を制御する信号が入力される入力端子Ｏ１〜Ｏ６とＬＥＤ１〜ＬＥＤ６の電源が入力される入力端子Ｏ７が設けられているランプ基板１３１、ＬＥＤ７〜ＬＥＤ１２を制御する信号が入力される入力端子Ｐ１〜Ｐ６とＬＥＤ７〜ＬＥＤ１２の電源が入力される入力端子Ｐ７が設けられているランプ基板１３２を用いる場合のランプ中継基板１２０が示されている。
また、図３には、図６で説明した、ＬＥＤ１〜ＬＥＤ４を制御する信号が入力される入力端子Ｑ１〜Ｑ４とＬＥＤ１〜ＬＥＤ４の電源が入力される入力端子Ｑ５が設けられているランプ基板１６１、ＬＥＤ５〜ＬＥＤ９を制御する信号が入力される入力端子Ｒ１〜Ｒ５とＬＥＤ５〜ＬＥＤ９の電源が入力される入力端子Ｒ６が設けられているランプ基板１６２を用いる場合のランプ中継基板１５０の構成が示されている。
【００１６】
また、本実施の形態では、ランプ基板の入力端子の総数に関係なく副制御基板４０を共通に用いている。副制御基板４０としては、例えば、ランプ基板の入力端子の最大総数に対応する数の出力端子が設けられている副制御基板が用いられる。図２及び図３では、最大１２のＬＥＤ（ＬＥＤ１〜ＬＥＤ１２）を制御する信号を出力可能な出力端子１〜１２（信号出力端子）と、最大２つの電源を出力可能な出力端子１３及び１４（電源出力端子）が設けられている副制御基板４０が示されている。
なお、図２及び図３には、ＬＥＤを制御する信号を出力する出力端子とランプの電源を出力するための出力端子のみが設けられている副制御基板４０が示されているが、副制御基板４０には、スピーカを制御する信号を出力するための出力端子やスピーカの電源を出力するための出力端子等も設けられている。
また、副制御基板４０の出力端子１〜１２から出力される信号（各ランプ基板の入力端子に入力される信号）のそれぞれは、１つのＬＥＤを制御するために用いられることもあるし、複数のＬＥＤ（ＬＥＤのグループ）を制御するために用いられることもある。複数のＬＥＤを制御する場合には、例えば、ランプ基板に入力された信号を、ランプ基板内で複数に分岐させる。
【００１７】
入力端子Ｏ１〜Ｏ７が設けられているランプ基板１３１及び入力端子Ｐ１〜Ｐ７が設けられているランプ基板１３２が用いられる場合（ランプ基板の入力端子の総数が最大総数の場合）には、ランプ基板１３１及び１３２の入力端子Ｏ１〜Ｏ７及びＰ１〜Ｐ７の総数と副制御基板４０の出力端子１〜１４の数が等しい。この場合には、図２に示すように、ランプ基板１３１及び１３２の入力端子Ｏ１〜Ｏ７及びＰ１〜Ｐ７の総数と等しい数の出力端子Ｂ１〜Ｂ１４と入力端子Ａ１〜Ａ１４が設けられているランプ中継基板１２０が用いられる。
そして、副制御基板４０の出力端子１〜１４をそれぞれ接続線ｘ１〜ｘ１４によってランプ中継基板１２０の対応する入力端子Ａ１〜Ａ１４に接続し、ランプ中継基板１２０の出力端子Ｂ１〜Ｂ７をそれぞれ接続線ｙ１〜ｙ７によってランプ基板１３１の対応する入力端子Ｏ１〜Ｏ７に接続し、ランプ中継基板１２０の出力端子Ｂ８〜Ｂ１４をそれぞれ接続線ｚ１〜ｚ７によってランプ基板１３２の対応する入力端子Ｐ１〜Ｐ７に接続する。ランプ中継基板１２０の入力端子Ａ１〜Ａ１４は、それぞれ配線パターン等の出力線ｓ１〜ｓ１４によって対応する出力端子Ｂ１〜Ｂ１４に接続されている。
この場合、副制御基板４０（副制御装置２０）に設けられている記憶回路には、ランプ基板１３１及び１３２が用いられていることを前提とした制御信号が記憶される。すなわち、副制御基板４０の出力端子１〜１２（信号出力端子）からはそれぞれＬＥＤ１〜ＬＥＤ１２を制御する信号が出力され、出力端子１３及び１４（電源出力端子）からはランプ基板１３１及び１３２の電源（例えば、＋３４Ｖの直流電源）が出力される。
図２に示すランプ中継基板１２０の出力線の数（ランプ中継基板１２０の出力段の出力線の数）は、ランプ中継基板１２０の入力端子Ａ１〜Ａ１４の数と出力端子Ｂ１〜Ｂ１４の数が等しいため、入力端子Ａ１〜Ａ１４に接続されている出力線ｓ１〜ｓ１４の数「１４」である
【００１８】
機種変更等によってランプの使用数が変更され、ランプ基板として、図３に示すような、ＬＥＤ１〜ＬＥＤ４を制御する信号が入力される入力端子Ｑ１〜Ｑ４とＬＥＤ１〜ＬＥＤ４の電源が入力される入力端子Ｑ５が設けられているランプ基板１６１、ＬＥＤ５〜ＬＥＤ９を制御する信号が入力される入力端子Ｒ１〜Ｒ５とＬＥＤ５〜ＬＥＤ９の電源が入力される入力端子Ｒ６が設けられているランプ基板１６２を用いる場合には、ランプ基板１６１及び１６２の入力端子Ｑ１〜Ｑ５及びＲ１〜Ｒ６の総数が副制御基板４０の出力端子１〜１４の数より小さい。
この場合には、図３に示すように、ランプ基板１６１及び１６２の入力端子Ｑ１〜Ｑ５及びＲ１〜Ｒ６の総数と等しい数の出力端子Ｄ１〜Ｄ１１、副制御基板４０の出力端子１〜１４の数と等しい数の入力端子Ｃ１〜Ｃ１４が設けられているランプ中継基板６０が用いられる。
【００１９】
ランプ中継基板６０の入力端子Ｃ１〜Ｃ１４の数と出力端子Ｄ１〜Ｄ１１の数の差に対応する数の入力端子（余剰入力端子）を処理する方法としては種々の方法を用いることができる。余剰入力端子の処理方法としては、例えば、開放させる方法、他の入力端子（出力線）に接続する方法を用いることができる。ランプ中継基板６０上で、余剰入力端子を他の入力端子（出力線）に接続する方法を用いると、余剰入力端子に不正部品等を接続するのが困難であり、また、余剰入力端子に不正部品等が接続されていることを発見し易い。
本実施の形態では、ランプ中継基板６０の入力端子Ｃ２、Ｃ４、Ｃ６を余剰入力端子とし、他の端子（出力線）に接続している。すなわち、ランプ中継基板６０の入力端子Ｃ１、Ｃ３、Ｃ５、Ｃ７〜Ｃ１４を、それぞれ配線パターン等の出力線ｓ１、ｓ３、ｓ５、ｓ７〜ｓ１４によって対応する出力端子Ｄ１〜Ｄ１１に接続している。また、ランプ中継基板６０の入力端子Ｃ２、Ｃ４、Ｃ６（余剰入力端子）を、それぞれ出力線ｓ２、ｓ４、ｓ６によって入力端子Ｃ１、Ｃ３、Ｃ５（出力線ｓ１、ｓ３、ｓ５）に接続している。
さらに、副制御基板４０の出力端子１〜１４をそれぞれ接続線ｘ１〜ｘ１１によってランプ中継基板６０の対応する入力端子Ｃ１〜Ｃ１４に接続し、ランプ中継基板６０の出力端子Ｄ１〜Ｄ５をそれぞれ接続線ｙ１〜ｙ５によってランプ基板１６１の対応する入力端子Ｑ１〜Ｑ５に接続し、ランプ中継基板６０の出力端子Ｄ６〜Ｄ１１をそれぞれ接続線ｚ１〜ｚ６によってランプ基板１６２の対応する入力端子Ｒ１〜Ｒ６に接続している。
【００２０】
この場合、副制御基板４０（副制御装置２０）の記憶回路には、ランプ基板１６１及び１６２が用いられ、ランプ中継基板６０の入力端子Ｃ２、Ｃ４、Ｃ６（したがって、副制御基板４０の出力端子２、４、６）が余剰端子であることを前提として制御信号が記憶されている。すなわち、副制御基板４０の出力端子１、３、５、７〜１２からはそれぞれＬＥＤ１〜ＬＥＤ９を制御する信号が出力され、出力端子１３及び１４からはランプ基板１６１及び１６２の電源が出力される。
なお、ランプ中継基板６０の余剰入力端子（この場合、入力端子Ｃ２、Ｃ４、Ｃ６）に接続されている副制御基板４０の余剰出力端子（この場合、出力端子２、４、６）からの信号の出力方法については、種々の方法を用いることができる。例えば、余剰出力端子２、４、６が接続されている出力端子１、３、５から出力する信号を、それぞれ余剰出力端子２、４、６から同時に出力する方法を用いることができる。あるいは、余剰出力端子２、４、６から信号を出力させない方法を用いることもできる。出力端子２、４、６から信号を出力させない方法を用いると、副制御装置の処理負担が軽減される。ランプ中継基板６０の余剰入力端子を開放させる方法を用いる場合には、ランプ中継基板６０の余剰入力端子に接続されるランプ制御基板の余剰出力端子から信号を出力させない方法を用いるのが好ましい。
図３に示すランプ中継基板６０の信号線の数は、ランプ中継基板６０の入力端子Ｃ１〜Ｃ１４の数と出力端子Ｄ１〜Ｄ１１の数が一致しないため、入力端子Ｃ１〜Ｃ１４に接続されている出力線ｓ１〜ｓ１４を接続あるいは分岐させた後の信号線の数、例えば、余剰入力端子Ｃ２、Ｃ４、Ｃ６を除いた入力端子Ｃ１、Ｃ３、Ｃ５、Ｃ７〜Ｃ１４に接続されている出力線ｓ１、ｓ３、ｓ５、ｓ７〜ｓ１４の数「１１」である。
【００２１】
以上のように、本実施の形態では、副制御基板の出力端子のそれぞれを接続線等によってランプ中継基板の対応する入力端子に接続し、ランプ中継基板６０において、入力端子の数と出力端子の数の差に対応する数の入力端子（余剰入力端子）の処理を行っている。このため、副制御基板４０を交換することなく、副制御基板４０の出力端子等に空き端子が発生するのを防止することができる。したがって、安価に遊技機を構成することができる。
なお、本実施の形態では、副制御装置２０が本発明の制御装置に対応し、副制御基板４０が本発明の制御基板に対応し、ランプ中継基板６０が本発明の回路基板に対応し、ランプ中継基板６０の出力線ｓ１、ｓ３、ｓ５、ｓ７〜ｓ１４が本発明の回路基板の出力線に対応し、ランプやスピーカ等が本発明の演出装置に対応する。
【００２２】
図３に示す実施の形態では、ランプ中継基板６０に、ランプ基板の数だけ電源出力端子（例えば、ランプ基板１６１及び１６２用の電源出力端子Ｄ５及びＤ１１）を設けたが、ランプ基板の数より少ない数の電源出力端子を設けることもできる。この場合には、ランプ中継基板の構成が簡単になり、より安価に遊技機を構成することができる。
ランプ制御基板の他の実施の形態の構成を、図４により説明する。
【００２３】
図４に示す副制御基板４０、ランプ基板１６１及び１６２は、図２に示したものと同じ構成である。
本実施の形態で用いるランプ中継基板７０には、副制御基板４０の出力端子１〜１４と同数の入力端子Ｅ１〜Ｅ１４が設けられ、ＬＥＤ１〜ＬＥＤ９を制御するための信号を出力する出力端子（信号出力端子）Ｆ１〜Ｆ９が設けられているが、ランプ基板１６１及び１６２に電源を出力する出力端子（電源出力端子）として出力端子Ｆ１０のみが設けられている。
本実施の形態では、ランプ中継基板７０の入力端子Ｅ２、Ｅ４、Ｅ６、Ｅ１４を余剰入力端子とし、ランプ中継基板７０上で他の端子（出力線）に接続している。すなわち、ランプ中継基板７０の入力端子Ｅ１、Ｅ３、Ｅ５、Ｅ７〜Ｅ１３を、それぞれ配線パターン等の出力線ｓ１、ｓ３、ｓ５、ｓ７〜ｓ１３によって対応する出力端子Ｆ１〜Ｆ１０に接続している。また、ランプ中継基板７０の入力端子Ｅ２、Ｅ４、Ｅ６、Ｅ１４（余剰入力端子）を、それぞれ配線パターン等の出力線ｓ２、ｓ４、ｓ６、ｓ１４によって入力端子Ｅ１、Ｅ３、Ｅ５、Ｅ１３（出力線ｓ１、ｓ３、ｓ５、ｓ１３）に接続している。
【００２４】
そして、副制御基板４０の出力端子１〜１４をそれぞれ接続線ｘ１〜ｘ１１によってランプ中継基板７０の対応する入力端子Ｅ１〜Ｅ１４に接続し、ランプ中継基板７０の出力端子Ｆ１〜Ｆ４をそれぞれ接続線ｙ１〜ｙ４によってランプ基板１６１の対応する入力端子Ｑ１〜Ｑ４に接続し、ランプ中継基板７０の出力端子Ｆ５〜Ｆ１０をそれぞれ接続線ｚ１〜ｚ６によってランプ基板１６２の対応する入力端子Ｒ１〜Ｒ６に接続する。
さらに、ランプ基板１６１の入力端子（電源入力端子）Ｑ５を、接続線Ｔによってランプ基板１６２の入力端子（電源入力端子）Ｒ６に接続する。
この場合、副制御基板４０の出力端子１３から、ランプ基板１６１及び１６２に設けられている、あるいは接続されているＬＥＤ１〜ＬＥＤ９の消費電力に対応する容量の電力を出力する。また、副制御基板４０の出力端子１４から、出力端子１３と同じ容量の電力を出力するのが好ましい。このように構成すると、ＬＥＤ１〜ＬＥＤ９には、副制御基板７０の出力端子（電源出力端子）１３あるいは１４のいずれかから出力される電力が供給される。
図４に示すランプ中継基板７０の信号線の数は、ランプ中継基板７０の入力端子Ｃ１〜Ｃ１４に接続されている出力線ｓ１〜ｓ１４を接続あるいは分岐させた後の信号線の数、例えば、余剰入力端子Ｃ２、Ｃ４、Ｃ６、Ｃ１４を除いた入力端子Ｃ１、Ｃ３、Ｃ５、Ｃ７〜Ｃ１３に接続されている出力線ｓ１、ｓ３、ｓ５、ｓ７〜ｓ１４の数「１０」である。
【００２５】
本実施の形態では、ランプ中継基板７０に設けられている共通の電源出力端子Ｆ１０から複数のランプ中継基板１６１及び１６２の電源入力端子Ｑ５及びＲ６に電力を出力しているため、ランプ中継基板７０の出力端子の数を減少させることができ、より安価なランプ中継基板を用いることができる。
【００２６】
本発明は、実施の形態で説明した構成に限定されることなく、種々の変更、追加、削除が可能である。
例えば、２つのランプ基板を用いたが、ランプ基板の数は１を含めて種々変更可能である。勿論、各ランプ基板の入力端子の数も種々変更可能である。
また、副制御基板の出力端子の数やランプ中継基板の入力端子の数は、現時点で製造されている、あるいは将来製造される可能性がある遊技機のランプの最大使用数等に基づいて適宜決定される。
また、ランプ中継基板の余剰入力端子を他の入力端子（出力線）に接続したが、余剰入力端子は開放状態としてもよい。
また、副制御基板の出力端子の数をランプの最大使用数等に対応する数に設定し、ランプ基板の入力端子の数の総数が副制御基板の出力端子の数より小さくなる場合（余剰出力端子の処理）について説明したが、副制御基板の出力端子の数をランプの最大使用数より小さい数に設定し、ランプ基板の入力端子の数が副制御基板の出力端子の数より大きくなる場合（端子の追加処理）にも適用することができる。
また、ランプ中継基板等の中継基板の数や配設位置は適宜変更可能である。
また、副制御基板の出力端子の数とランプ基板の入力端子の総数が異なる場合に、差の数に対応する入力端子の処理をランプ中継基板によって行ったが、ランプ基板で行うこともできる。例えば、ランプ基板の入力端子の数、ランプ中継基板の出力端子及び入力端子の数、副制御基板のランプ基板のための出力端子の数を、ランプの最大使用数等に対応する数に設定する。そして、副制御基板の出力端子をそれぞれランプ中継基板の対応する入力端子に接続し、ランプ中継基板の各出力端子をランプ基板の対応する入力端子に接続する。ランプ基板には各ランプに接続される出力線を設け、ランプ基板上で、ランプ基板の入力端子を対応する出力線あるいは他の入力端子（他の入力端子に接続されている出力線）に接続する（例えば、余剰入力端子を処理する）。この方法を用いる場合には、ランプ中継基板を省略することもできる。この場合には、副制御基板の出力端子を、それぞれ各ランプ基板の対応する入力端子に接続する。この実施の形態では、副制御基板が本発明の制御基板に対応し、ランプ基板が本発明の回路基板に対応する。
また、副制御基板及びランプ中継基板に電源端子（電源出力端子や電源入力端子）を設けたが、これらの電源端子は省略してもよい。
また、ランプの数が変更されてランプ基板の入力端子の数が変更される場合について説明したが、本発明は、ランプの構造が変更されてランプ基板の入力端子の数が変更される場合にも適用することができる。
本発明は、ランプの数や構造が変更される場合に限定されず、スピーカ等の遊技の演出を行う演出装置の数や構造等が変更される場合等にも適用することができる。
さらに、本発明は、制御装置から信号が出力される被制御機器の数や構造等が変更される場合に適用することができる。
また、パチンコ機について説明したが、本発明は、パチンコ機以外のスロットマシン等の種々の遊技機として構成することができる。
【００２７】
本発明は、以下のように構成することもできる。
例えば、「（態様１）遊技機の遊技動作を制御する制御装置が設けられ、制御装置からの信号を出力する出力端子を有する制御基板と、制御基板の出力端子と接続される入力端子及び入力端子と接続される出力線を有する回路基板とを備え、回路基板の入力端子の数は制御基板の出力端子の数と同数であり、回路基板上で、回路基板の入力端子の少なくとも１つが他の入力端子に接続されている、遊技機。」として構成することができる。
態様１の遊技機では、制御基板の出力端子と接続され、制御基板の出力端子と同じ数の入力端子と、入力端子に接続される出力線を有する回路基板を備え、回路基板の入力端子の少なくとも１つを回路基板上で他の入力端子に接続している。これにより、回路基板の入力端子の数が制御基板の入力端子の数と同じ状態で、出力線の数を変更することができる。このため、例えば、回路基板に設けられる被制御機器あるいは回路基板に接続される被制御機器の数や構造の変更等によって回路基板の出力線の数を変更する場合に、制御基板を交換する必要がない。この場合、制御基板の出力端子それぞれを回路基板の対応する入力端子に接続線等によって接続することによって、制御基板の出力端子等に空き端子が発生するのを防止することができる。したがって、安価に遊技機を構成することができる。また、回路基板の余剰入力端子が開放状態とならないため、余剰入力端子に不正部品（不正基板）等が接続されるのを防止することができる。
また、「（態様２）遊技機の遊技動作を制御する制御装置が設けられ、制御装置からの信号を出力する出力端子を有する制御基板と、制御基板の出力端子と接続される入力端子及び入力端子と接続される出力端子を有する回路基板とを備え、
回路基板の入力端子の数は制御基板の出力端子の数と同数であり、回路基板の出力端子の数は回路基板の入力端子の数と異なっている、遊技機。」として構成することができる。
態様２の遊技機では、制御基板の出力端子と同じ数の入力端子と、入力端子に接続され、入力端子と異なる数の出力端子を有する回路基板を備えている。これにより、回路基板の入力端子の数が制御基板の出力端子の数と同じ状態で、出力端子の数を変更することができる。このため、態様１の遊技機と同様に、安価に遊技機を構成することができる。
また、「（態様３）態様２の遊技機であって、回路基板上で、回路基板の入力端子の少なくとも１つが他の入力端子に接続されている、遊技機。」として構成することができる。
態様３の遊技機では、回路基板の入力端子の少なくとも１つを、回路基板上で他の入力端子に接続している。これにより、回路基板の余剰入力端子が開放状態とならないため、余剰入力端子に不正部品（不正基板）等が接続されるのを防止することができる。
また、「（態様４）態様２または３の遊技機であって、回路基板は、制御装置からの信号を中継する中継基板である、遊技機。」として構成することができる。
態様４の遊技機では、回路基板は、制御装置からの信号を中継する中継基板である。中継基板を用いることよって、例えば、制御基板と被制御機器との接続作業が容易となる。また、中継基板は制御基板より安価であるため、制御基板を交換する場合に比して安価に空き端子が発生することを防止することができる。
また、「（態様５）態様１〜４のいずれかの遊技機であって、制御装置は、遊技の演出を行う演出装置を制御する信号を出力する、遊技機。」として構成することができる。
態様５の遊技機では、制御装置は、遊技の演出を行う演出装置を制御する信号を出力する。パチンコ機等の遊技機では、機種変更等によってランプやスピーカ等の演出装置の数や構造等が変更されることが多い。このため、態様５の遊技機を用いることにより、より安価な遊技機を提供することができる。
また、「（態様６）遊技機の遊技動作を制御する制御装置が設けられ、制御装置からの信号を出力する出力端子を有する制御基板と、制御基板の出力端子に接続される入力端子及び入力端子に接続される出力端子を有する回路基板とを備え、回路基板の入力端子の数は制御基板の入力端子の数と同数であり、回路基板の出力端子の数は入力端子の数より少なく、回路基板上で、回路基板の入力端子の少なくとも１つの入力端子が他の入力端子とともに１つの出力端子に接続されている、遊技機。」として構成することができる。」
態様６の遊技機では、制御基板の出力端子と同じ数の入力端子と、入力端子に接続され、入力端子の数より少ない数の出力端子を有する回路基板を備え、回路基板上で、回路基板の少なくとも１つの入力端子（余剰入力端子）を他の入力端子とともに１つの出力端子に接続している。これにより、態様２の遊技機と同様に、安価に遊技機を構成することができる。また、態様３の遊技機と同様に、余剰入力端子に不正部品等が接続されるのを防止することができる。
また、「（態様７）態様６の遊技機であって、回路基板の出力端子に接続される入力端子を有するランプ基板を備え、制御装置は、遊技の演出を行うランプを制御する信号を出力する、遊技機。」として構成することができる。これにより、態様５の遊技機と同様の効果を有する。
【００２８】
【発明の効果】
以上説明したように、請求項１に記載の遊技機を用いれば、安価な遊技機を提供することができる。
【図面の簡単な説明】
【図１】パチンコ機の概略構成図である。
【図２】本発明の一実施の形態を説明する図である。
【図３】本発明の一実施の形態を説明する図である。
【図４】本発明の他の実施の形態を説明する図である。
【図５】従来例を説明する図である。
【図６】従来例を説明する図である。
【符号の説明】
１０  主制御装置
２０  副制御装置
２１  スピーカ
２２  ランプ
３０  表示制御装置
３１  表示装置
４０  副制御基板
６０、７０、１２０、１５０  ランプ中継基板
１３１、１３２、１６１、１６２  ランプ基板
１１０、１４０  ランプ制御基板
【図１】
2004215727.tif 000003
【図２】
2004215727.tif 000004
【図３】
2004215727.tif 000005
【図４】
2004215727.tif 000006
【図５】
2004215727.tif 000007
【図６】
2004215727.tif 000008